(57)【要約】【課題】  ドライブ装置で適正に読み取り及び書き込みを行えるとともに、特に低温環境下において、リールに巻装された磁気テープがずれることを防止できる磁気テープの巻取方法及び巻取装置を提供する。【解決手段】  磁気テープＴの先端部Ｔ１をハブＨに所定の長さだけ巻き取る際に、磁気テープＴの巻き取りの速度を下げ、且つ、巻き取りのテンションを上げて磁気テープＴを巻き取る第１の巻き取り工程と、その後、磁気テープＴの巻き取りの速度を上げ、且つ、巻き取りのテンションを下げて磁気テープＴを巻き取る第２の巻き取り工程とを有する。【選択図】  図１
2006031782.tif 000002
【特許請求の範囲】
【請求項１】
磁気テープをリールのハブに巻き取る磁気テープの巻取方法であって、
磁気テープの先端部をハブに所定の長さだけ巻き取る際に、磁気テープの巻き取りの速度を下げ、且つ、巻き取りのテンションを上げて磁気テープを巻き取る第１の巻き取り工程と、その後、磁気テープの巻き取りの速度を上げ、且つ、巻き取りのテンションを下げて磁気テープを巻き取る第２の巻き取り工程とを有することを特徴とする磁気テープの巻取方法。
【請求項２】
前記第１の巻き取り工程で、磁気テープを巻き取る速度を１ｍ／ｓから１０ｍ／ｓの範囲とし、且つ、磁気テープの巻き取りのテンションを０．０９８Ｎから１．９６Ｎの範囲とし、前記第２の巻き取り工程で磁気テープ磁気テープを巻き取る速度を５ｍ／ｓから３０ｍ／ｓの範囲とし、且つ、磁気テープの巻き取りのテンションを０．０９８Ｎから１．９６Ｎの範囲とすることを特徴とする請求項１に記載の磁気テープの巻取方法。
【請求項３】
磁気テープをリールのハブに巻き取る磁気テープの巻取装置であって、
磁気テープを供給する磁気テープ供給部と、
前記リールを保持するリール保持部と、
前記リール保持部に保持された前記リールを回動させて磁気テープを巻き取る磁気テープ巻取部と、
前記磁気テープにかかるテンションを調整するテンション調整部とを備え、
磁気テープ巻取部を制御して前記磁気テープの巻き取りの速度を調整する巻取速度制御機能と、前記テンション調整部を制御して巻き取りのテンションを調整する巻取テンション制御機能とを有する制御部が設けられていることを特徴とする磁気テープの巻取装置。
【請求項４】
前記制御部が、磁気テープを巻き取る速度を１ｍ／ｓから１０ｍ／ｓの範囲とし、且つ、磁気テープの巻き取りのテンションを０．０９８Ｎから１．９６Ｎの範囲とする第１の巻き取りモードと、磁気テープ磁気テープを巻き取る速度を５ｍ／ｓから３０ｍ／ｓの範囲とし、且つ、磁気テープの巻き取りのテンションを０．０９８Ｎから１．９６Ｎの範囲とする第２の巻き取りモードとのいずれかに切り換え制御可能な構成であることを特徴とする請求項３に記載の磁気テープの巻取装置。
【発明の詳細な説明】
【技術分野】
【０００１】
本発明は、磁気テープカートリッジの組立工程で、カートリッジケース内のリールに磁気テープを巻き取る磁気テープの巻取方法及び巻取装置に関する。
【背景技術】
【０００２】
従来、コンピュータのデータバックアップ用の外部記録媒体として、磁気テープカートリッジが知られている。この種の磁気テープカートリッジは、磁気テープを巻装する単一のリールを収容するカートリッジケース本体を有し、該カートリッジケース本体の側壁部分に、磁気テープを引き出すための開口部が形成されている。
【０００３】
図４は、磁気テープをリールに巻き付けている状態を説明する図である。正円形の平面を有する円盤状のリール１００には同心の位置に円筒状のハブ１０１が平面から垂直に立設されている。磁気テープＴを巻き付けるときには、最初に、ハブ１０１の外周面にアルコール又は水などの液体を塗布し、磁気テープＴの端部を貼り付けたうえで、リール１００を周方向に回転させつつ磁気テープＴをハブ１０１の外周面に巻き重ねていく。そして、磁気テープＴを記憶容量に応じて所定の長さを所定の巻き込みテンションで巻き取りを行い、磁気テープＴを切断した後、切断された磁気テープＴの端部を端止めするか、あるいは、リーダテープを接合するといった端末処理を行う。
また、従来、下記の特許文献１に示すように、テープの先端部を濡らして、該先端部をリールに接触させて巻き取る装置がある。
【０００４】
【特許文献１】特表昭６３−５０１１０４号公報
【発明の開示】
【発明が解決しようとする課題】
【０００５】
ところで、巻き込みテンションは、磁気テープカートリッジを記録再生装置（ドライブ装置）で適正に読み取り又は書き込みを行うことができるように、ドライブ装置の仕様に合わせて予め設定されるものである。
しかし、ドライブ装置の使用に合わせた巻き込みのテンションでは、ハブに巻装された磁気テープの締まり具合、所謂、巻きの固さが不十分となり、低温環境（特に、０℃以下の環境）では、リールのハブと巻装された磁気テープとの間に隙間が発生し、リールに巻装された磁気テープのハブに対する位置がずれてしまう現象が発生しやすくなってしまう。磁気テープをリールに巻き取る際に、巻きの固さを確保するために巻取りのテンションを高くすると、ドライブ装置の仕様を満たすことができず、適正な磁気テープの読み取り及び書き込みができなくなる。
【０００６】
本発明は、上記事情に鑑みてなされたもので、その目的は、ドライブ装置で適正に読み取り及び書き込みを行えるとともに、特に低温環境下において、リールに巻装された磁気テープがずれることを防止できる磁気テープの巻取方法及び巻取装置を提供することにある。
【課題を解決するための手段】
【０００７】
本発明の上記目的は、磁気テープをリールのハブに巻き取る磁気テープの巻取方法であって、磁気テープの先端部をハブに所定の長さだけ巻き取る際に、磁気テープの巻き取りの速度を下げ、且つ、巻き取りのテンションを上げて磁気テープを巻き取る第１の巻き取り工程と、その後、磁気テープの巻き取りの速度を上げ、且つ、巻き取りのテンションを下げて磁気テープを巻き取る第２の巻き取り工程とを有することを特徴とする磁気テープの巻取方法によって達成される。
【０００８】
本発明の磁気テープの巻取方法によれば、リールのハブに磁気テープを巻き取る際に、磁気テープの先端部側が強いテンションで巻き付けられるため、巻装させる磁気テープとハブ外周面との締まり具合を固くすることができる。また、磁気テープの先端部側を所定の長さだけ巻き取った後に、磁気テープの巻き取りの速度を上げ、また、巻き取りのテンションを小さくすることで、巻取工程に長時間かかることを回避するとともにドライブ装置の仕様に適合するように磁気テープの巻き取りを行うことができる。このため、この磁気テープの巻取方法によって得られた磁気テープカートリッジは、低温環境下において、リールに巻装された磁気テープのハブに対する位置がずれてしまうことを防止することができる。
【０００９】
上記の磁気テープの巻取方法は、第１の巻き取り工程で、磁気テープを巻き取る速度を１ｍ／ｓから１０ｍ／ｓの範囲とし、且つ、磁気テープの巻き取りのテンションを０．０９８Ｎから１．９６Ｎの範囲とし、第２の巻き取り工程で磁気テープ磁気テープを巻き取る速度を５ｍ／ｓから３０ｍ／ｓの範囲とし、且つ、磁気テープの巻き取りのテンションを０．０９８Ｎから１．９６Ｎの範囲とすることが好ましい。
【００１０】
また、本発明の上記目的は、磁気テープをリールのハブに巻き取る磁気テープの巻取装置であって、磁気テープを供給する磁気テープ供給部と、前記リールを保持するリール保持部と、前記リール保持部に保持された前記リールを回動させて磁気テープを巻き取る磁気テープ巻取部と、前記磁気テープにかかるテンションを調整するテンション調整部とを備え、磁気テープ巻取部を制御して前記磁気テープの巻き取りの速度を調整する巻取速度制御機能と、前記テンション調整部を制御して巻き取りのテンションを調整する巻取テンション制御機能とを有する制御部が設けられていることを特徴とする磁気テープの巻取装置によって達成される。
【００１１】
本発明の磁気テープの巻取装置によれば、磁気テープの先端部側をハブに巻き取る際には、テンション調整部を制御して強いテンションで巻き付け、巻装させる磁気テープとハブ外周面との締まり具合を固くすることができる。また、磁気テープの先端部側を所定の長さだけ巻き取った後に、磁気テープ巻取部を制御して磁気テープの巻き取りの速度を高くするとともにテンション調整部を制御して巻き取りのテンションを小さくすることで、巻取工程に長時間かかることを回避するとともにドライブ装置の仕様に適合するように磁気テープの巻き取りを行うことができる。このため、この磁気テープの巻取装置によって磁気テープが巻き取られた磁気テープカートリッジは、低温環境下において、リールに巻装された磁気テープのハブに対する位置がずれてしまうことを防止することができる。
【発明の効果】
【００１２】
本発明によれば、ドライブ装置で適正に読み取り及び書き込みを行えるとともに、特に低温環境下において、リールに巻装された磁気テープがずれることを防止できる磁気テープの巻取方法及び巻取装置を提供できる。
【発明を実施するための最良の形態】
【００１３】
以下、本発明の実施形態を図面に基づいて詳しく説明する。
図１は、本発明に係る磁気テープの巻取装置の概略図である。巻取装置１０は、所謂パンケーキと呼称される磁気テープの原反から所定の長さの磁気テープを引き出して切断した後、切断された磁気テープを搬送して磁気テープ巻取部１２においてカートリッジケースＣに収容されているリールＲのハブＨに巻き取る装置である。
【００１４】
巻取装置１０は、垂直に立設されたパネルＰを有している。巻取装置１０は、磁気テープＴの搬送される方向に沿って順に、磁気テープＴを供給する磁気テープ供給部１１と、磁気テープ供給部１１から供給された磁気テープを搬送方向に沿って案内する複数のテープガイドＧと、搬送される磁気テープＴのテンションを調整するテンション調整部１５と、ストックされたカートリッジＣを磁気テープ巻取部１２に供給するカートリッジケース供給部１６とを備えて構成されている。
【００１５】
磁気テープ供給部１１は、磁気テープ巻取部１２に磁気テープＴを供給する装置であり、磁気テープＴが巻回されたリールＲ１を有している。テープ供給部１１は、リールＲ１を、図示しないリール駆動装置によって所定の回転数で回転させ、磁気テープ巻取部１２に向けて磁気テープＴを送り出す。
【００１６】
磁気テープ巻取部１２は、磁気テープ供給部１１から供給された磁気テープＴの先端部Ｔ１をカートリッジケースＣのリールＲのハブＨに貼り付けることができ、磁気テープＴをハブＨに巻き取ることができる構成である。
【００１７】
図１に示すように、磁気テープ巻取部１２は、カートリッジケース供給部１６から供給されたカートリッジケースＣを保持するリール保持部１８と、磁気テープ供給部１１から供給される磁気テープＴの先端部Ｔ１をカートリッジケースＣまで搬送する磁気テープ先端部搬送手段１７とを備えている。
【００１８】
磁気テープ巻取部１２のリール保持部１８には、リールＲが図示しないモータ等の駆動装置によって回動可能に保持されている。磁気テープＴの巻き取り時には、磁気テープ巻取部１２は、リール保持部１８に保持されたリールＲを回動させて磁気テープＴを巻き取る。
【００１９】
巻取装置１０は、磁気テープ巻取部１２を制御して磁気テープＴの巻き取りの速度を調整する巻取速度制御機能と、テンション調整部１５を制御して巻き取りのテンションを調整する巻取テンション制御機能とを有する制御部２０が設けられている。制御部２０には、磁気テープ巻取部１２に制御信号を出力する信号線Ｌ１と、テンション調整部１５に制御信号を出力する信号線Ｌ２とが電気的に接続されている。
【００２０】
制御部は、磁気テープを巻き取る速度を１ｍ／ｓから１０ｍ／ｓの範囲とし、且つ、磁気テープの巻き取りのテンションを０．０９８Ｎから１．９６Ｎの範囲とする第１の巻き取りモードと、磁気テープ磁気テープを巻き取る速度を５ｍ／ｓから３０ｍ／ｓの範囲とし、且つ、磁気テープの巻き取りのテンションを０．０９８Ｎから１．９６Ｎの範囲とする第２の巻き取りモードとのいずれかに切り換え制御可能な構成である。
【００２１】
次に、磁気テープをリールに巻き取る工程を説明する。図２は、磁気テープの巻き取る工程を説明するフローチャートである。図３は、経過時間に対する磁気テープの巻き取り速度及び巻き取りテンションの関係を示すグラフである。なお、以下に説明する磁気テープを巻取工程では上述の巻取装置１０を使用するものとし、必要に応じて図１を参照する。
最初に、磁気テープＴの先端部Ｔ１をカートリッジケースＣのハブＨに貼り付ける（ステップＳ１０１）。そして、第１の巻き取り工程を開始する（ステップＳ１０２）。
【００２２】
第１の巻き取り工程では、図３のＷ１で示すように、磁気テープＴの巻き取りの速度を下げ、且つ、巻き取りのテンションを上げるように設定する（ステップＳ１０３）。本実施形態では、巻き取りの速度を２ｍ／ｓとし、工程開始時のテンション及び工程終了時のテンションが１５０ｇになるように制御した。ここで、磁気テープＴを巻き取る速度を１ｍ／ｓから１０ｍ／ｓの範囲とし、且つ、磁気テープＴの巻き取りのテンションを０．０９８Ｎから１．９６Ｎの範囲となるように、制御部２０によって磁気テープ巻取部１２及びテンション調整部１５を制御することが好ましい。
【００２３】
そして、このように磁気テープＴを制御しつつ、所定の長さの磁気テープＴの巻き取りを行う（ステップＳ１０４）。
ここで、第１の巻き取り工程を行う所定の長さとしては、上記範囲のテンションで磁気テープＴを巻装させることで、該磁気テープＴとハブＨとの間に隙間が生じさせないように巻装された磁気テープＴの巻きの固さを確保するのに十分な長さであるとともに、ドライブ装置によって情報の書き込みが行われる記録部を除いた長さである。本実施形態では、第１の巻き取り工程を行う長さを０．５ｍ〜１０ｍとした。
【００２４】
第１の巻き取り工程の後、第２の巻き取り工程に切り換え、磁気テープＴの巻き取りを開始する（ステップＳ１０５）。図３に示すように第１の巻き取り工程から第２の巻き取り工程に切り替える時間は、予め設定された時間やハブＨに巻装された磁気テープＴの巻き径によって適宜に決定することができる。
【００２５】
第２の巻き取り工程では、図３のＷ２で示すように、磁気テープＴの巻き取りの速度を上げ、且つ、巻き取りのテンションを下げるように設定する（ステップＳ１０６）。本実施形態では、巻き取りの速度を１０ｍ／ｓとし、工程開始時のテンション及び工程終了時のテンションが８５ｇになるように制御した。ここで、磁気テープＴを巻き取る速度を５ｍ／ｓから３０ｍ／ｓの範囲とし、且つ、磁気テープＴの巻き取りのテンションを０．０９８Ｎから１．９６Ｎの範囲となるように、制御部２０によって磁気テープ巻取部１２及びテンション調整部１５を制御することが好ましい。
【００２６】
そして、このように磁気テープＴを制御しつつ、所定の長さの巻き取りを行う（ステップＳ１０７）。本実施形態では、第２の巻き取り工程を行う巻き取り長さを２０ｍ〜１０００ｍとした。ここで、第２の巻き取り工程を行う巻き取り長さとしては、第１の巻き取り工程で巻き取られなかった磁気テープＴの全長としてもよく、又は、第１の巻き取り工程で巻き取られなかった磁気テープのうち、記録部が形成された磁気テープの長さとしてもよい。
【００２７】
上記のように、本発明に係る磁気テープの巻取方法によれば、リールＲのハブＨに磁気テープＴを巻き取る際に、磁気テープＴの先端部Ｔ１側が強いテンションで巻き付けられるため、巻装させる磁気テープＴとハブ外周面との締まり具合を固くすることができる。また、磁気テープＴの先端部Ｔ１側を所定の長さだけ巻き取った後に、磁気テープＴの巻き取りの速度を上げ、また、巻き取りのテンションを小さくすることで、巻取工程に長時間かかることを回避するとともにドライブ装置の仕様に適合するように磁気テープＴの巻き取りを行うことができる。このため、この磁気テープＴの巻取方法によって得られた磁気テープカートリッジＣは、低温環境下において、リールＲに巻装された磁気テープＴのハブＨに対する位置がずれてしまうことを防止することができる。
【００２８】
また、磁気テープの巻取装置１０によれば、磁気テープＴの先端部Ｔ１側をハブＨに巻き取る際には、テンション調整部１５を制御して強いテンションで巻き付け、巻装させる磁気テープＴとハブ外周面との締まり具合を固くすることができる。また、磁気テープＴの先端部Ｔ１側を所定の長さだけ巻き取った後に、磁気テープ巻取部１２を制御して磁気テープＴの巻き取りの速度を上げ、テンション調整部を制御して巻き取りのテンションを下げることで、巻取工程に長時間かかることを回避するとともにドライブ装置の仕様に適合するように磁気テープの巻き取りを行うことができる。このため、この磁気テープの巻取装置１０によって磁気テープが巻き取られた磁気テープカートリッジＣは、低温環境下において、リールＲに巻装された磁気テープＴのハブＨに対する位置がずれてしまうことを防止することができる。
【実施例】
【００２９】
本発明に係る磁気テープの巻取方法及び巻取装置の効果を確かめるため、以下のような比較試験を行った。本試験では、図１に示す巻取装置１０を用いた。
本試験では本発明に係る磁気テープの巻取方法で磁気テープＴを巻き取る実施例と、この実施例と比較するため、現行と同様の方法で磁気テープＴを巻き取った比較例とをそれぞれ実施した。
【００３０】
実施例では、上記のように第１の巻き取り工程と第２の巻き取り工程とを適宜切り換えて行った。具体的には、第１の巻き取り工程において、巻き取り長さを６ｍとし、巻き取り速度を２ｍ／ｓとし、巻き取りテンションを工程開始時及び工程終了時に１５０ｇになるように制御して磁気テープＴの巻き取りを行った。その後、第２の巻き取り工程において、巻き取り長さを３００ｍとし、巻き取り速度を１０ｍ／ｓとし、巻き取りテンションを工程開始時及び工程終了時に８５ｇになるように制御して磁気テープＴの巻き取りを行った。
【００３１】
比較例では、巻き取りの対象となる磁気テープＴの全長において同一の巻き取り条件で巻き取り工程を行った。比較例における巻き取り工程では、巻き取り長さを３００ｍとし、巻き取り速度を１０ｍ／ｓとし、巻き取りテンションを工程開始時及び工程終了時に８５ｇになるように制御して磁気テープＴの巻き取りを行った。
【００３２】
実施例及び比較例によって巻き取れた磁気テープＴを収容する磁気テープカートリッジＣを低温環境（０℃の雰囲気）において巻きずれを確認した。すると、比較例では、リールＲのハブＨから巻装された磁気テープＴのずれが確認できたのに対し、実施例では磁気テープＴのずれは確認されなかった。また、実施例によって巻装された磁気テープＴを収容した磁気テープカートリッジＣは、―５℃の低温環境下で取り扱ってもリールＲのハブＨに対して磁気テープＴの位置がずれる現象は確認されなかった。
【図面の簡単な説明】
【００３３】
【図１】本発明に係る磁気テープの巻取装置の概略図である。
【図２】磁気テープの巻き取る工程を説明するフローチャートである。
【図３】経過時間に対する磁気テープの巻き取り速度及び巻き取りテンションの関係を示すグラフである。
【図４】磁気テープをリールに巻き付けている状態を説明する図である。
【符号の説明】
【００３４】
１０  磁気テープの巻取装置
１１  磁気テープ供給部
１２  磁気テープ巻取部
１５  テンション調整部
２０  制御部
Ｃ    磁気テープカートリッジ
Ｇ    テープガイド
Ｈ    ハブ
Ｐ    パネル
Ｒ    リール
Ｔ    磁気テープ
【図１】
2006031782.tif 000003
【図２】
2006031782.tif 000004
【図３】
2006031782.tif 000005
【図４】
2006031782.tif 000006